(57)【要約】【課題】本発明は、簡易な構造で、容易に屋根材の重なり部に釘などの留具を使用することなく敷設でき、かつ屋根材下部に溜まる雨水などの排出を良好にした屋根材の撓み防止具を提供する。【解決手段】本発明は、上記課題を解決するため、屋根材６の上下重なり部に挿入され、屋根材６の反り返しを防止する屋根材の撓み防止具であって、上下屋根材６ａ、６ｂの重なり部に挿入され、下端から上端まで貫通する複数の貫通孔２ａを有する挿入部２と、前記挿入部２から下方の屋根材６ｂ表面上に突出する突出部３と、前記挿入部２に連設され、挿入部２との間に上方の屋根材６ａを嵌め込む嵌着部５を形成する鈎部４とからなることを特徴とする屋根材の撓み防止具１の構成とした。【選択図】図１
2009155990.tif 000002
【特許請求の範囲】
【請求項１】
屋根材の上下重なり部に挿入され、屋根材の反り返しを防止する屋根材の撓み防止具であって、上下屋根材の重なり部に挿入され、下端から上端まで貫通する複数の貫通孔を有する挿入部と、前記挿入部から下方の屋根材表面上に突出する突出部と、前記挿入部に連設され、挿入部との間に上方の屋根材を嵌め込む嵌着部を形成する鈎部とからなることを特徴とする屋根材の撓み防止具。
【請求項２】
前記挿入部に貫通孔を設けることなく、挿入部の下屋根材側の面に複数の柱を設けることを特徴とする請求項１に記載の屋根材の撓み防止具。
【請求項３】
前記鈎部の起立部に、挿入部に接する１以上の孔を設けたことを特徴とする請求項１又は請求項２に記載の屋根材の撓み防止具。
【請求項４】
前記鈎部に、下端から上端までの切込みを設けたことを特徴とする請求項１〜請求項３の何れかに記載の屋根材の撓み防止具。
【請求項５】
請求項１〜請求項４の何れかの屋根材の撓み防止具を屋根材の塗装、補修時に、上下屋根材の重なり部に挿入し、前記突出部、鈎部にも塗装を施し、屋根材に固定することを特徴とする屋根材の補修方法。
【請求項６】
前記切込みを、左右屋根材の継ぎ目に合わせ、請求項４に記載の屋根材の撓み防止具を挿入することを特徴とする請求項５に記載の屋根材の補修方法。
【発明の詳細な説明】
【技術分野】
【０００１】
本発明は、家屋の屋根に葺かれる板状の屋根材、屋根の塗装の老朽化の補修方法、及び補修時に使用する屋根材の撓み防止具に関する発明である。
【背景技術】
【０００２】
従来屋根材、特に平板スレート屋根材は、家屋の屋根の野地板の上に、防水シートを貼り、軒側端部から釘などで固定し、重ねながら屋根上部に向け貼っていた。しかし、築年数が経過すると、屋根材の塗膜が劣化するとともに、屋根材の端が反り返り、防水性が失われるため、屋根材の葺き替え、屋根材の再塗装が必要であった。
【０００３】
そこで、単に屋根材の再塗装を行うと、塗装により重ね合わせ部分がふさがり、雨水などの水分の排水性が悪化し、屋根材下部の劣化の原因になっていた。それを改善するため、屋根材の重なり部分の塗装によるふさがり部分を切断する方法が取られていた。
【０００４】
その１例として特許文献１、２に記載の縁切り部材がある。これら縁切り部材は、屋根材表面の塗装後、重なり部分に差し込むことにより、雨水の排水性を維持するものである。
【特許文献１】特開２００３−５４５５９号公報
【特許文献２】特開２００５−１２０８０１号公報
【０００５】
しかし、塗装だけでは補修できないほど、屋根材が反り反り、撓むことがある。この場合は、文献１、２の屋根材を施すことはできない。そのよう場合は、屋根材を葺き直し、文献３に記載の屋根材の継手を用いた補修などが考えられる。
【０００６】
特許文献３の屋根材の継手は、請求項１によれば、天然スレートあるいはタイルなどの平板状の屋根材を母屋などの下地部材上に敷設支持する継手であって、この継手は、棟側端部が前記下地部材上に固定されかつその上面に互いに横方向に隣接する各々の屋根材の突合せ端部が載置される支持基板と、この支持基板の軒側端部に形成された前記各々の屋根材の軒側端部が係合支持される係合部と、この係合部の下部に形成されかつ前記支持基板上に載置される屋根材の軒側端部に対して互いに縦方向に重なり合う軒側屋根材の棟側端部が当接支持される当接部と、この当接部の下端部に相当する前記支持基板の軒側端部の側部に張出し形成された前記下地部材上に固定可能な固定片とを具備したことを特徴とする。また、請求項２によれば、支持基板上の中央棟側寄りに、互いに横方向に隣接する各々の屋根材の突合せ端部間から上方に突出する係止具を設け、この係止具で棟側屋根材の軒側端部を係止可能にしたことを特徴とする前記屋根材の継手など。
【０００７】
これらによれば、暴風雨時などの強風によって働く負圧の作用による浮き上がりの防止をより確実に行なうことができる。また、継手を形成する支持基板上の棟側端部側に、互いに横方向に隣接する各々の屋根材の棟側端部が当接される止水片を設けてなることから、屋根材の縦目地から浸入する水の棟側への止水効果を高めることができるとともに、屋根材のズレ上がりを防止することができる。即ち、撓みを含む浮きを防止し、かつ屋根材の通気性を維持することができるというものである。
【特許文献３】特開平５−７１１９０号公報
【発明の開示】
【発明が解決しようとする課題】
【０００８】
しかしながら、文献３の屋根材の継手は、貫通孔１２、１４ｃに固定部５、６を通し、下地部材に打ち付け固定するもので、複雑な構造で、敷設作業も煩雑である。
【０００９】
そこで、本発明は、簡易な構造で、容易に屋根材の重なり部に釘などの留具を使用することなく敷設でき、かつ屋根材下部に溜まる雨水などの排出を良好にした屋根材の撓み防止具を提供することを目的とする。
【課題を解決するための手段】
【００１０】
本発明は、上記課題を解決するために、屋根材６の上下重なり部に挿入され、屋根材６の反り返しを防止する屋根材の撓み防止具であって、上下屋根材６ａ、６ｂの重なり部に挿入され、下端から上端まで貫通する複数の貫通孔２ａを有する挿入部２と、前記挿入部２から下方の屋根材６ｂ表面上に突出する突出部３と、前記挿入部２に連設され、挿入部２との間に上方の屋根材６ａを嵌め込む嵌着部５を形成する鈎部４とからなることを特徴とする屋根材の撓み防止具１の構成、
前記挿入部２に貫通孔２ａを設けることなく、挿入部２の下屋根材６ｂ側の面に複数の柱を設けることを特徴とする前記屋根材の撓み防止具の構成、
前記鈎部４の起立部に、挿入部２に接する１以上の孔４ｄを設けたことを特徴とする前記屋根材の撓み防止具の構成、
前記鈎部４に、下端４ｃから上端４ｂまでの切込み４ａを設けたことを特徴とする前記何れかに記載の屋根材の撓み防止具の構成、
前記何れかの屋根材の撓み防止具を屋根材の塗装、補修時に、上下屋根材６ａ、６ｂの重なり部に挿入し、前記突出部３、鈎部４にも塗装を施し、屋根材６に固定することを特徴とする屋根材の補修方法の構成、
前記切込み４ａを、左右屋根材６ｄ、６ｅの継ぎ目６ｃに合わせ、前記屋根材の撓み防止具を挿入することを特徴とする前記屋根材の補修方法の構成とした。
【発明の効果】
【００１１】
本発明は以上の構成であるから以下の効果がある。先ず、第１に、屋根材の端部の反り返りなどの撓みを防止し、強風による浮きもない屋根構造とすることができる。次に、上下屋根材の重なり部に、挿入するだけであるので、敷設が容易である。
【００１２】
さらに、突出部３、鈎部４も含め屋根材表面を通常の塗装を施すことで、屋根材の撓み防止具が屋根材と一体に固定され、さらに強固に屋根材の撓み、浮きを防止鋳し、雨水の屋根材下部への侵入を防止することができる。
【発明を実施するための最良の形態】
【００１３】
易な構造で、容易に屋根材の重なり部に敷設でき、かつ屋根材下部に溜まる雨水などの排出を良好にした屋根材の撓み防止具を提供する目的を、屋根材６の上下重なり部に挿入され、屋根材６の反り返しを防止する屋根材の撓み防止具であって、上下屋根材６ａ、６ｂの重なり部に挿入され、下端から上端まで貫通する複数の貫通孔２ａを有する挿入部２と、前記挿入部２から下方の屋根材６ｂ表面上に突出する突出部３と、前記挿入部２に下端４ｃから上端４ｂまでの切込み４ａを設け連設され、挿入部２との間に上方の屋根材６ａを嵌め込む嵌着部５を形成する鈎部４とからなることを特徴とする屋根材の撓み防止具１ａの構成とすることで実現した。
【００１４】
以下、添付図面に基づいて、本発明である屋根材の撓み防止具について詳細に説明する。
【実施例１】
【００１５】
図１は本発明である屋根材の撓み防止具の実施例１の斜視図である。図２は正面（Ａ）及び背面図（Ｂ）、図３は側面（Ａ）及び断面図（Ｂ）、図４は平面図である。なお図２の正面図は、図１の矢印Ａ方向から見た図である。
【００１６】
本発明である屋根材の撓み防止具１は、挿入部２と、突出部３と、鈎部４からなる。
その素材は特に限定されないが、軽く、硬度があり、熱、紫外線に耐久性のある素材が好ましく、例えば樹脂、ステンレスなどが挙げられる。
【００１７】
また成型方法も特に限定されないが、挿入部２、突出部３、鈎部４を一体として型により成型しても、別々に成型し組み立て連結してもよい。
【００１８】
挿入部２は、屋根材の上下重なり部に挿入される部分で、下端２ｄから上端２ｃまで貫通する複数の貫通孔２ａを有する。挿入部２の上下、左右方向の長さ、その形状は特に限定されないが、屋根材の下端部から５〜１０ｃｍ程度挿入されれば、撓み抑制効果を十分発揮する。
【００１９】
貫通孔２ａは、仕切２ｂにより仕切られ、屋根材下部に侵入した雨水などをその場に留めることなく、効果的に排出する機能を発揮する、その形状は、特に限定されない。図１に示す四角形の他、丸、三角、楕円、半円など図１０に示す形状が例示できる。また敢えて、貫通孔２ａを穿設しなくとも、挿入部２の底面、即ち下屋根材の側に複数の柱を設けることでも、貫通孔２ａと同じ排水効果を得ることができる。
【００２０】
突出部３は、屋根材の重なり部に挿入されたとき、挿入部２から下方の屋根材表面上に突出するよう突設される。突出長さは特に限定されないが、１〜１０ｃｍ程度あれば十分である。
【００２１】
鈎部４は、挿入部２に連設され、屋根材の重なり部に挿入されたとき、挿入部２との間に上方の屋根材を嵌め込む嵌着部５を形成する。従って、図１に示す形状に限定されるものではない。
【００２２】
突出部３、鈎部４の横方向の長さ、厚さは、特に限定されないが、横方向の長さは、一般的な屋根材が９１０ｍｍであるので、９１０ｍｍとしても、それ以上としても、又は２００ｍｍ程度として、一枚の屋根材に複数使用してもよい。
【００２３】
また、厚さは、樹脂、ステンレスであれば、１〜数ｍｍ程度でよい。嵌着部５は、屋根材を嵌める隙間があればよい。屋根材は概ね５ｍｍ程度の厚さであるので、それ程度の溝を形成すればよい。
【００２４】
図５は、実施例１の使用状態を示す屋根構造の平面図である。屋根材の撓み防止具１は、上下屋根材６の重なり部に挿入部２を挿入し、嵌着部５に上屋根材の端を嵌め込み使用する。これにより、屋根材６下部の通気性が維持され、かつ撓みも防止できる。
【００２５】
さらに、屋根材の撓み防止具１を挿入した後、突出部３、鈎部４を含めて、塗料により塗装してもよい。これにより屋根材の撓み防止具１を屋根材６と一体に固定することができ、強度がさらに増し、撓みをより効果的に防止することができる。矢印Ｃは、図６の断面位置である。
【００２６】
図６は、実施例１の使用状態を示す屋根構造の一部断面拡大図である。屋根材６は、一般に板状のスレートで、家屋の屋根の野地板８の上に、防水シート７を貼り、軒側端部から釘などの留具９で固定し、重ねながら屋根上部に向け葺かれている。
【００２７】
本発明である屋根材の撓み防止具１は、特に屋根材６の補修時に、上屋根材６ａと下屋根材６ｂの重なり部に挿入部２を挿入し、上屋根材６ａの端部を挿入部２と鈎部４の間の嵌着部５に嵌め込み使用する。その結果、突出部３は、下屋根材６ｂの上面に位置する。
【００２８】
その後、塗料１０を、突出部３及び鈎部４上面も含め、屋根材６に塗装する。これにより、塗料１０が固化し、屋根材の撓み防止具１と屋根材６が一体となって、固定され、防水性を増す。
【実施例２】
【００２９】
図７は、本発明である屋根材の撓み防止具の実施例２の平面図である。実施例２の屋根材の撓み防止具１ａは、実施例１の屋根材の撓み防止具１の鈎部４の中央に、上端から下端まで、切込み４ａを設けたものである。切り込み４ａの幅は、特に限定されないが、継ぎ目６ｃと同程度の幅、２〜３ｍ程度あればよい。
【００３０】
図８は、実施例２の使用状態を示す屋根構造の平面図である。切込み４ａを、左右屋根材６ｄ、６ｅの継ぎ目６ｃに合わせ、屋根材の撓み防止具１ａを上下屋根材６ａ、６ｂの重なり部に挿入することで、継ぎ目６ｃに沿って流れる落ちる雨水を効率的に下方に流下させ、屋根材６の下部に侵入する量を低下させ、屋根材６下部に侵入した雨水も貫通孔２ａにより効果的に排出することができる。
【００３１】
なお、３枚の屋根材６に渡る長さの屋根材の撓み防止具１ａが、図８中に示されているが、屋根材の撓み防止具１ａの左右の長さは任意に選択することができる。
【００３２】
図９は、発明である屋根材の撓み防止具の実施例３の背面図である。実施例３の屋根材の撓み防止具１ｂは、実施例１の屋根材の撓み防止具１の鈎部４の起立部に、挿入部２に接する１以上の孔４ｄを設けたものである。
【００３３】
孔４ｄを設けることにより、前記切込み４ａと同様に継ぎ目６ｃからの雨水の屋根材６株への侵入を防止・低減させる効果を発揮する。孔４ｄの形状は、特に四角形に特定されるものでなく、半円、三角などであってもよい。
【図面の簡単な説明】
【００３４】
【図１】本発明である屋根材の撓み防止具の実施例１の斜視図である。
【図２】本発明である屋根材の撓み防止具の実施例１の正面及び背面図である。
【図３】本発明である屋根材の撓み防止具の実施例１の側面及び断面図である。
【図４】本発明である屋根材の撓み防止具の実施例１の平面図である。
【図５】実施例１の使用状態を示す屋根構造の平面図である。
【図６】実施例１の使用状態を示す屋根構造の一部断面拡大図である。
【図７】本発明である屋根材の撓み防止具の実施例２の平面図である。
【図８】実施例２の使用状態を示す屋根構造の平面図である。
【図９】本発明である屋根材の撓み防止具の実施例３の背面図である。
【図１０】貫通孔の例を挙げた図である。
【符号の説明】
【００３５】
１      屋根材の撓み防止具
１ａ    屋根材の撓み防止具
１ｂ    屋根材の撓み防止具
２      挿入部
２ａ    貫通孔
２ｂ    仕切り
２ｃ    上端
２ｄ    下端
３      突出部
４      鈎部
４ａ    切込み
４ｂ    上端
４ｃ    下端
４ｄ    孔
５      嵌着部
６      屋根材
６ａ    上屋根材
６ｂ    下屋根材
６ｃ    継ぎ目
６ｄ    左屋根材
６ｅ    右屋根材
７      防水シート
８      野地板
９      留具
１０    塗料
【図１】
2009155990.tif 000003
【図２】
2009155990.tif 000004
【図３】
2009155990.tif 000005
【図４】
2009155990.tif 000006
【図５】
2009155990.tif 000007
【図６】
2009155990.tif 000008
【図７】
2009155990.tif 000009
【図８】
2009155990.tif 000010
【図９】
2009155990.tif 000011
【図１０】
2009155990.tif 000012